(57)【特許請求の範囲】
【請求項１】
感光材料を支持して所定の搬送方向へ案内するための感光材料処理装置用案内構造であって、
前記感光材料の搬送経路の下側に、前記搬送経路に沿って設けられたガイド板と、
前記ガイド板の適宜箇所に、それぞれ独立して回転可能に配設され、少なくとも外周部の一部が前記ガイド板の表面よりも前記感光材料の搬送経路側に突出したローラ状の回転体と、
を有し、前記搬送路が下方へ突状となるように湾曲されているときに、前記ローラ状の回転体の配置密度が、前記搬送路の上流側及び下流側近傍が粗、中央部が密とされていることを特徴とする感光材料処理装置用案内構造。
【請求項２】
前記ガイド板の前記適宜個所に前記ローラ状の回転体の回転軸を回転自在に収容可能な軸受部と、弾性変形することにより前記軸受部へ前記回転軸を収容して保持可能とする爪部と、が設けられていることを特徴とする請求項１記載の感光材料処理装置用案内構造。
【発明の詳細な説明】
【０００１】
【発明の属する技術分野】
本発明は、感光材料を搬送しながら処理液が貯留された処理槽へ浸漬して処理液処理する感光材料処理装置に用いられ、前記処理槽内で処理液処理される感光材料を支持すると共に所定の搬送方向へ案内するための感光材料処理装置用案内構造に関する。
【０００２】
【従来の技術】
感光材料、例えば感光性平版印刷版（以下「ＰＳ版」という）は感光性平版印刷版処理装置（以下「ＰＳ版プロセッサー」という）によって現像処理される。このＰＳ版プロセッサーでは、画像が記録されたＰＳ版を現像槽内を搬送しながらこの現像槽に貯留している現像液に浸漬すると共に、現像液中の回転ブラシローラ等の擦り手段によってＰＳ版の非画像部分の感光層を除去するようにしている。このようにして現像処理の終了したＰＳ版は、水洗部で水洗水によって水洗された後（水洗処理）、不感脂化処理部でガム液が塗布され（不感脂化処理）て版面保護等の処理が連続して行われる。
【０００３】
ここで、従来、ＰＳ版は複数のアイドルローラに支持され搬送ローラ対に挟持されて駆動力を受けて搬送されるようになっている。
【０００４】
【発明が解決しようとする課題】
しかしながら、上記のように、複数のアイドルローラを使用すると、部品点数が多くなり、組み付け作業やメンテナンス時の取り外し作業に時間がかかり、さらにコストも高くなるという問題があった。
【０００５】
本発明は上記事実を考慮し、部品点数を少なくして、組み付け作業やメンテナンス時の取り外し作業も短時間で行うことができ、低コストで作製することができる感光材料処理装置用案内構造を得ることが目的である。
【０００６】
【課題を解決するための手段】
請求項１に記載の発明は、感光材料を支持して所定の搬送方向へ案内するための感光材料処理装置用案内構造であって、前記感光材料の搬送経路の下側に、前記搬送経路に沿って設けられたガイド板と、前記ガイド板の適宜箇所に、それぞれ独立して回転可能に配設され、少なくとも外周部の一部が前記ガイド板の表面よりも前記感光材料の搬送経路側に突出したローラ状の回転体と、を有し、前記搬送路が下方へ突状となるように湾曲されているときに、前記ローラ状の回転体の配置密度が、前記搬送路の上流側及び下流側近傍が粗、中央部が密とされている。
請求項１に記載の発明によれば、コロローラなどのローラ状の回転体（以下、コロローラとする）を適宜個所に組み付けたガイド板を処理槽内などの感光材料の搬送経路に沿って設けるようにしたので、部品点数が少なくて済み、組み付け作業やメンテナンス時の取り外し作業を短時間で行うことができる。
【０００７】
請求項１に記載の発明によれば、コロローラなどのローラ状の回転体（以下、コロローラとする）を適宜個所に組み付けたガイド板を処理槽内などの感光材料の搬送経路に沿って設けるようにしたので、部品点数が少なくて済み、組み付け作業やメンテナンス時の取り外し作業を短時間で行うことができる。
【０００８】
また、ガイド板に設けられたコロローラは、それぞれ独立して回転可能であり、感光材料が処理槽に挿入されてくると、ガイド板から突出している先端部に感光材料が接触したとき、感光材料の搬送力によって、回転を開始する。このため、感光材料とコロローラとの間で摺動は起こらず、この結果、感光材料を傷つけることはない。
【０００９】
また、本発明では、前記搬送路が下方へ突状となるように湾曲されているときに、前記ローラ状の回転体の配置密度が、前記搬送路の上流側及び下流側近傍が粗、中央部が密とされている。
【００１０】
感光材料の搬送中、感光材料の腰の強さによっては、ガイド板の上流側及び下流側では、感光材料がコロローラにほとんど接触しないことがある。このような部分にもコロローラを均等に配置するのは無駄なことである。例えば、感光材料としてＰＳ版を適用した場合、このＰＳ版はベースとしてアルミニウム板を用いることが多いため、比較的腰が強い。このため、処理槽の入口及び出口近傍では、コロローラに触れることがない。
そこで、この部分のコロローラは不要であるため、予め取り外しておく。これにより、部品点数を必要最小限とすることができる。また、取り外した部分が開口となれば、処理液の流動性も向上する。
請求項２に記載の発明は、請求項１に記載の発明において、前記ガイド板の前記適宜個所に前記ローラ状の回転体の回転軸を回転自在に収容可能な軸受部と、弾性変形することにより前記軸受部へ前記回転軸を収容して保持可能とする爪部と、が設けられていることを特徴としている。
請求項２に記載の発明によれば、コロローラを独立して着脱可能としており、これにより、処理される感光材料の搬送経路に応じて、配置密度を変更することができる。
【００１１】
【発明の実施の形態】
図１には、本実施の形態に適用した感光性平版印刷版処理装置（以下「ＰＳ版プロセッサー１０」と言う）が示されている。ＰＳ版プロセッサー１０は、図示しない焼付装置によってＰＳ版の表裏両面に画像が焼付けられた感光性平版印刷版（以下「ＰＳ版１２」と言う）を現像液に浸漬させながら、非画像部分の感光層をブラシローラ等の擦り手段によって除去している。
【００１２】
ＰＳ版プロセッサー１０は、ＰＳ版１２の感光層の不要部分を除去処理するための現像部２２と、ＰＳ版１２に付着した現像液を水洗して水洗処理する水洗部２４と、水洗後のＰＳ版１２にガム液を塗布して不感脂化処理するフィニッシャー部２６と、が配設されている。
【００１３】
外板パネル１４には、スリット状の挿入口３４及び排出口３６がそれぞれ設けられている。挿入口３４の外部には挿入台１６が取付けられ、ＰＳ版１２の挿入口３４への挿入を案内している。
【００１４】
外板パネル１４の上面には、現像部２２と水洗部２４との間にＰＳ版１２を挿入するリエントリー用挿入口（副挿入口）３８が設けられている。その副挿入口３８は、現像部２２での処理を除く水洗以降の処理を行うためのＰＳ版１２の挿入口とされている。
【００１５】
現像部２２へのＰＳ版１２の挿入側には、一対のゴム製搬送ローラ３２が配設されており、この一対の搬送ローラ３２の間に画像が焼付けられたＰＳ版１２が挿入口３４から挿入されるようになっている。一対の搬送ローラ３２は、図示しない駆動手段の駆動力で回転し、ＰＳ版１２を水平方向に対して約１５°から３０°の角度で現像部２２へ向けて送り込み、約１７°〜３１°の角度で送り出すようになっている。
【００１６】
現像部２２は、上方が開口され底部中央部が下方に向けて突出された略逆山形状の処理槽であり、この現像部２２内には、ＰＳ版１２の搬送方向に沿った下側にガイド板１００が配設されている。図２に示されるように、ガイド板１００は、ＰＳ版１２の搬送方向で２分割されており、その間には串ローラ１１１が配設されている。
【００１７】
ガイド板１００には、複数のローラ状の回転体としてコロローラ（小型のローラ）１０２が取付けられており、ＰＳ版１２は、このコロローラ１０２に接して案内されながら搬送されるようになっている。このとき、コロローラ１０２が回転するため、ＰＳ版１２に摺動による傷付きは発生しない。
【００１８】
図１に示されるように、ガイド板１００は、現像部２２の形状に沿って逆山型形状とされ、その最低位置の下流側におけるＰＳ版１２の上面に対応する位置には、ブラシローラ１０６が配設されている。また、ガイド板１００の下流側の先端部には、ＰＳ版１２の下面に対応するようにブラシローラ１０８が配設されている。
【００１９】
ブラシローラ１０６、１０８は、は、図示しない駆動手段の駆動力が伝達されてＰＳ版１２の搬送方向に沿って回転するようになっている。なお、プラシローラ１０６、１０８の少なくとも１本を搬送方向とは逆方向に回転させてもよい。
【００２０】
ブラシローラ１０６、１０８は、現像部２２の現像液によって膨潤した表面の不要となった感光層をかき落とす役目を有しており、この機能を十分に発揮させるため、ＰＳ版１２を所定の押圧力で押圧する必要がある。このため、ブラシローラ１０６には、ガイド板１００に取付けられたコロローラ１０２の一部が対応しており、ブラシローラ１０８には、串ローラ１１０が対応している。これにより、ＰＳ版１２は、所定の押圧力でブラシローラ１０６、１０８に接触しながら搬送され、不要となった感光層を確実に除去することができる。
【００２１】
ブラシローラ１０８と串ローラ１１０とが配設された位置よりもさらに下流側には、ＰＳ版１２の下面に対向するように串ローラ１１２が配設され、搬送されるＰＳ版１２を支持している。この串ローラ１１２により支持され、搬送されるＰＳ版１２は、現像部２２の液面から排出され、現像部２２の最終段位置に配設された一対のゴム製搬送ローラ対１１４に挟持されながら、表面に付着した現像液が絞り取られるようになっている。
【００２２】
現像部２２の現像液液面には、液面蓋５０が配置されている。この液面蓋５０は、下面が現像液の液面より下がるように配置され、現像液液面と空気との接触をできるだけ少なくするようにして現像液の炭酸ガスによる劣化と現像液中の水分の蒸発を防止している。
【００２３】
ここで、液面蓋５０のＰＳ版１２の搬送方向前後端とその近傍の外板パネル１４には、ブレード１１６が取付けられている。このブレード１１６は、それぞれ上流側の搬送ローラ対３２及び下流側の搬送ローラ対１１４の上下のローラに接触するように配設されており、乾燥装置２５０の挿入口２５６に設けたシャッタ２７２と共に現像液が外気に晒されることによって生じる炭酸ガスによる現像液の劣化及び現像液中の水分の蒸発を防止している。
【００２４】
さらに、液面蓋５０は、上部がカバーの下面に形成された溝に嵌まり込んでカバーと共に現像部２２内の空気の流動を防ぎ、新たな外気が現像液に触れて炭酸ガスによる現像液の劣化が促進されること、及び現像液中の水分の蒸発が促進されることを防止している。
【００２５】
また、液面蓋５０の下面におけるＰＳ版１２の搬送方向前後角部には、それぞれ串ローラ１１８、１２０が取付けられている。この串ローラ１１８、１２０は、ＰＳ版１２の搬送時に液面蓋５０との接触を防止する役目を有している。これにより、ＰＳ版１２の搬送中、若干弛みが生じた場合でも、ＰＳ版１２の上面が感光面を損傷させるほどの硬い液面蓋５０等に当たることがない。
【００２６】
前記現像部２２の下流側の搬送ローラ対１１４は、図示しない駆動手段の駆動力を受けて回転され、ＰＳ版１２を次工程である水洗部２４へ送り出すようになっている。
【００２７】
水洗部２４には、２対の搬送ローラ５２、５３が配設されている。これらの搬送ローラ対５２、５３は、図示しない駆動手段の駆動力を受けて回転するようになっており、現像部２２から送り込まれたＰＳ版１２の搬送路を形成している。
【００２８】
搬送ローラ５２と搬送ローラ５３との間、かつ搬送路の上下位置には、スプレーパイプ５６、１２２が配設されており、このスプレーパイプ５６、１２２は、搬送ローラ５２、５３の軸線に沿って配設され、それぞれＰＳ版１２に対向する位置にパイプ内部と連通する吐出孔が設けられている。スプレーパイプ５６、１２２のこの吐出孔からＰＳ版１２に向けて、図示しない水洗水タンクからポンプによって汲み上げられた水洗水が吐出され、ＰＳ版１２の表裏面に速やかに拡がり、ＰＳ版１２の表裏面が水洗水によって洗浄される。そして、ＰＳ版１２に付着した水洗水が一対の搬送ローラ対５３によって絞り取られる。
【００２９】
水洗部２４の下流側の不感脂化処理部であるフィニッシャー部２６には、一対の搬送ローラ５８が設けられている。搬送ローラ５３によって送り出されるＰＳ版１２は、この搬送ローラ５８へ案内されるようになっている。
【００３０】
搬送ローラ５８の上流側、かつ搬送路よりも上側には、スプレーパイプ１２４が配設されており、このスプレーパイプ１２４は、搬送ローラ５８の軸線と平行に配設され、その吐出孔がＰＳ版１２に向けて設けられている。スプレーパイプ１２４からは、図示しないガム液槽からポンプによって汲み上げられたガム液がＰＳ版１２上に滴下され、ＰＳ版１２の表面に拡がり、ＰＳ版１２の表面に保護膜を形成する。
【００３１】
また、搬送ローラ５８の上流側、かつ搬送路よりも下側には、ＰＳ版１２の幅方向に亘って連続するスリットが形成された吐出ユニット１２６が配設されている。この吐出ユニット１２６には、前記スプレーパイプ１２４と同様にガム液が供給され、スリットからガム液が吐出する構造となっており、ＰＳ版１２は裏面が噴出ユニット１２６のスリット部分に接触しながら搬送されるようになっている。すなわち、スリットがＰＳ版１２の幅方向の全域に亘っているため、ＰＳ版１２の下面全てにガム液によって保護膜を形成することができる。
【００３２】
このフィニッシャー部２６によるガム液塗布が終了したＰＳ版１２は、搬送ローラ対５８に挟持搬送されて表裏面にガム液が若干残った状態で、排出口３６から排出される。
【００３３】
フィニッシャー部２６の下流側、すなわちＰＳ版プロセッサー１０の最終工程部には、乾燥装置２５０が配設されている。
【００３４】
この乾燥装置２５０には、排出口３６の近傍にＰＳ版１２を支持する支持ローラ２７０、乾燥装置２５０の搬送路中央部近傍及び排出口２５８の近傍にそれぞれＰＳ版１２を挟持して搬送力を付与する２対の搬送ローラ２５２、２５４が配設されている。なお、支持ローラ２７０及び中央部側の搬送ローラ２５２の軸直角断面形状は花形とされ、前記排出口２５８の近傍に設けられ吸湿性の不織布を巻き付けたモルトンローラ２５４と共に回転駆動される。
【００３５】
また、この一対のモルトンローラ２５４の代わりに一対のゴムローラ、搬送ローラ２５２と同様な一対の花形串ローラを一対に組み合わせて設けてもよい。
【００３６】
これにより、フィニッシャー部２６での処理が終了し、排出口３６から排出されたＰＳ版１２は、乾燥装置２５０内へ挿入されることになる。なお、この乾燥装置１５０は、フィニッシャー部２６までのプロセス部と分離可能としてもよい。また、排出口３６には、シャッター２７２が設けられている。
前記支持ローラ２７０と搬送ローラ２５２との間、並びに搬送ローラ２５２と搬送ローラ２５４との間には、それぞれＰＳ版に乾燥風を吹き付けるための２対のダクト２６０が配設されている。この２対のダクト２６０は、それぞれＰＳ版１２の搬送経路を挟んで対向配置されている。一方のダクト２６０は搬送経路の上側に位置しており、他方のダクト２６０は搬送経路の下側に位置している。
【００３７】
ダクト２６０は、その長手方向がＰＳ版１２の幅方向に沿って配設されており、それぞれＰＳ版１２との対向面は、ＰＳ版１２と平行とされている。この対向面には、長手方向に沿ってスリット孔２６２が設けられ、ＰＳ版１２へ吹き付ける乾燥風の吹出口とされている。
【００３８】
前記ダクト２６０の一端面は乾燥風案内ダクト（図示省略）と連結されている。この乾燥風案内ダクトは、矩形の煙突型とされ、その下端部開口は、ブロワ（図示省略）の送風口に連結されている。これにより、ダクト２６０には、同量の乾燥風が導入されるようになっている。
【００３９】
図２には、現像部２２におけるガイド板１００の詳細が示されている。
【００４０】
ガイド板１００は、串ローラ１１１を挟んで、ＰＳ版１２を液面から液底へ案内する入側ガイド板１００Ａと、ＰＳ版１２を液底から液面へ案内する出側ガイド板１００Ｂとで構成されている。
【００４１】
入側ガイド板１００Ａと、出側カイド板１００Ｂとは、それぞれ前記串ローラ１１１の軸線方向中間を中心として、点対称で配設されているため、以下、入側ガイド板１００Ａを例にとり説明する。
【００４２】
入側ガイド板１００Ａは、同一形状の３個のガイド板アッセンブリ２８０によって構成されている（図２参照）。すなわち、ガイド板アッセンブリ２８０を３連とすることによって、入側ガイド板１００Ａが形成される。
【００４３】
ガイド板アッセンブリ２８０は、円弧状とされ、その内周面側に、ＰＳ版１２の搬送方向に沿って互いに平行かつ均一ピッチとされたリブ２８２が突出形成されている。このリブ２８２は、ＰＳ版１２を支持する役目を有しているが、通常はＰＳ版１２とは直接接触しない。すなわち、ＰＳ版１２が通常の搬送経路を逸脱して搬送された場合に、ガイド板アッセンブリ２８０の表面（内周面）に接触することを防止するために設けられている。なお、このリブ２８２は、超高分子ポリエチレン、テフロン（Ｒ）樹脂等で作製される。
【００４４】
このリブ２８２によって区画されたＰＳ版１２の搬送方向に沿った方向が長辺となる長方形状の内周面には、それぞれ複数の矩形孔２８４が設けられている。なお、図２において、鎖線で示した矩形孔２８４は、本実施の形態では、開口されていない。これは、処理される感光材料がＰＳ版１２であることを考慮したものであり、詳細が後述するが、ＰＳ版１２の搬送時にＰＳ版１２がほとんど接触しない位置には矩形孔２８４は設けないようにしている。
【００４５】
鎖線で示した架空の矩形孔２８４を含めると、１つの長方形状の内周面には、合計７個の矩形孔２８４を設けることが可能となっている。本実施の形態では、ガイド板アッセンブリ２８０を現像部２２に配設したときに、現像部２２の入口側に対応する一辺、及び出口側に対応する一辺に近いほど、実際に設けられた矩形孔２８４の数が少なく（粗配列）、他辺に至るほどその数が多く（密配列）なっている。
【００４６】
なお、上記では入側ガイド板１００Ａと出側ガイド板１００Ｂとの間に串ローラ１１１を配設した構成としたが、串ローラ１１１を設けずに入側ガイド板１００Ａと出側ガイド板１００Ｂとを一体にして現像部２２の入口側からＰＳ版１２の搬送経路の下側に搬送経路に沿って設けてもよい。このとき、ガイド板１００に取付けられるコロローラ１０２の数は、ガイド板１００の現像部２２の入口側に対応する一辺、及び出口側に対応する一辺に近いほど粗配列で他辺に至る中央部に近いほど密配列になっている。
【００４７】
図３に示される如く、矩形孔２８４には、それぞれコロローラ１０２が取り付けられている。このコロローラ１０２は、取り付け状態でガイド板アッセンブリ２８０の内周面及びリブ２８２よりもＰＳ版１２の搬送経路方向に突出しており、この結果、ＰＳ版１２は実際には、このコロローラ１０２の周面に支持されて案内される構成となっている。
【００４８】
ここで、ＰＳ版１２は、そのベースがアルミニウム板等の金属板で構成されており、比較的腰が強い。この腰の強さにより、ＰＳ版１２が現像部２２へ至るとき、その先端部が所謂片持ち状態で保持されるため、その下部に配設されたガイド板１００に垂れ下がるようなことがない。このため、この位置でのガイド板１００への接近がないため、コロローラ１０２に接触することもない。そこで、この入側部分でのコロローラ１０２の配列を粗配列としている。
【００４９】
一方、現像部２２の出口側においても、同様に、ＰＳ版１２の先端部は中央部の屈曲によって持ち上げられ、ほとんどガイド板アッセンブリ２８０に接近することがない。このため、コロローラ１０２に接触することもないため、この出側部分でのコロローラ１０２の配列を粗配列としている。これを、図２に示される如く、ガイド板１００の全体として見ると、串ローラ１１１から上下流側１列目及び２列目が密、３列目が１個おきの粗、４列目及び５列目が密、次いで６列目及び７列目が１個おきの粗の順となる。
【００５０】
前記コロローラ１０２が配設される矩形孔２８４は、図４及び図５に示される如く、ＰＳ版１２の幅方向に対応する両端部に、コロローラ１０２の軸１０２Ａを受ける軸受部２８６が形成されている。この軸受部２８６は、円弧上の切欠溝が形成され、その開口された内周面がＰＳ版１２の搬送経路に向けられている。内周面は、全周の５０％とされており、この内周両端から円弧中心に向けて爪部２８８が突出形成されている。これにより、コロローラ１０２の軸１０２Ａをこの軸受部２８６に軸支状態にしようとする際に、若干抵抗力が生じるようになっている。この抵抗力に抗して、さらに押圧すると、爪部２８８が弾性変形し、軸１０２Ａは、軸受部２８６に入り込んで軸支される。
【００５１】
上記ガイド板アッセンブリ２８０をＰＳ版１２の幅方向に３個連結することにより、入側ガイド板１００Ａ及び出側カイド板１００を構成することができる。これを、所定の位置に配設することにより、ＰＳ版１２の搬送経路の案内構造が完成する。
【００５２】
なお、ガイド板１００には、矩形孔２８４の他にＰＳ版１２から除去された感光層等の成分から生じるシリケートの固形物質を上方から現像部２２の底部に設けた現像液循環用の入口側に通過させる孔を設けても良い。
【００５３】
また、出側ガイド板１００Ｂを搬送方向に２分割して現像部２２に配設して、その間に一対の搬送ローラを設け、短いサイズのＰＳ版１２でもこの一対の搬送ローラで挟持して搬送することによって、確実に搬送することができるようにしてもよい。
【００５４】
以下に本実施の形態の作用を説明する。
【００５５】
図示しない焼付装置等によって画像が記録されたＰＳ版１２は、挿入台１６に載置されてから挿入台１６の奥側に送り込まれて挿入口３４から挿入される。挿入されたＰＳ版１２は、一対の搬送ローラ３２によって引き入れられて現像部２２へ送り込まれる。なお、このＰＳ版１２の先端が挿入口３４を通過すると、センサによってこれを検出し、タイマーをスタートさせる。このタイマーは、水洗部２４のスプレーパイプ５６から水洗水を吐出させるタイミングや、フィニッシャー部２６におけるガム液の吐出タイミングを計っている。
【００５６】
現像部２２では、ＰＳ版１２は一対の搬送ローラ３２からガイド板１００によって下方へ案内されて水平に対して１５°〜３０°の角度で送り込まれ、１７°〜３１°の角度で送り出される。このとき、ＰＳ版１２は、ガイド板１００に設けられたコロローラ１０２によって支持され、搬送中に伴ってコロローラ１０２が回転するため、摺動によるＰＳ版１２の損傷はない。
【００５７】
このガイド板１００（実際にはコロローラ１０２）に案内されて搬送される間にＰＳ版１２は、ブラシローラ１０６、１０８によって表裏面がブラッシングされる。このブラッシングにより、ＰＳ版１２の表面の膨潤した不要な感光層を取り除くことができる。
【００５８】
このようにして、表裏面が均一に擦られて処理の終了したＰＳ版１２は、搬送ローラ対１１４によって現像液が絞り取られながら現像部２２から引き出されて水洗部２４へ送られ、搬送ローラ５２、５３によって挟持搬送される。この一対の搬送ローラ５２にＰＳ版１２が挟持される際、ＰＳ版１２の先端はまず一対の搬送ローラ５２の下側ローラに当接したのち一対の搬送ローラ間に挟持されるように案内される。
【００５９】
その後、タイマーにより計測した挿入時からの時間が所定時間となりＰＳ版１２の先端が下流側ローラ対５３に達したと判断されると、ＰＳ版１２の表裏面に向けてスプレーパイプ５６、１２２から水洗水が吐出され、この水洗水によって洗浄され、ＰＳ版１２の表裏面に付着した水洗水は、一対の搬送ローラ５３により絞り取られる。
【００６０】
水洗処理が終了すると、ＰＳ版１２は、フィニッシャー部２６へ送られ、一対の搬送ローラ５８によって挟持搬送される。ここで、スプレーパイプ１２４、吐出ユニット１２６から吐出されるガム液がＰＳ版１２の表裏面に塗布されて不感脂化処理される。不感脂化処理されたＰＳ版１２は、フィニッシャー部２６から排出口３６を通過して、図示しない乾燥部へ送り出される。
【００６１】
ここで、現像部２２において、ＰＳ版１２の搬送経路の下側には、ガイド板１００が配設され、複数のコロローラ１０２が設けられているため、ＰＳ版１２は、その搬送方向を逸脱することなく、適正な搬送経路で搬送される。
【００６２】
また、ガイド板１００に複数のコロローラ１０２を設け、このコロローラ１０２を独立して回転可能としたため、ＰＳ版１２が接触すると、ＰＳ版１２の搬送力によってコロローラ１０２が回転する。このため、摺動することは一切なく、ＰＳ版１２を傷つけることがなくなる。
【００６３】
なお、ＰＳ版１２の通常の搬送以外においては、ガイド板１００にリブ２８２を設けたので、コロローラ１０２を設けていない所でＰＳ版１２がガイド板１００のガイド面側に触れることがあってもガイド板１００のガイド面にＰＳ版１２が密着することはなく、ＰＳ版１２の搬送性を維持することができる。
【００６４】
また、コロローラ１０２は、矩形孔２８４に対して自由に着脱可能となっているため、必要に応じてガイド板１００に間引いて装着することも可能である。但し、本実施の形態では、感光材料をＰＳ版１２に限定しているため、予め必要のない箇所には、矩形孔２８４を設けていない（図２の鎖線参照）。
【００６５】
ところで、ＰＳ版１２は、そのベースがアルミニウム板であるため、比較的腰が強い。このため、ＰＳ版１２が現像部２２へ挿入された直後において、その先端部が、腰の強さによって片持ち状態でガイド板１００から離れて搬送される。従って、現像部２２の挿入側には、コロローラ１０２は不要である。また、現像部の排出側においては、ＰＳ版１２は、搬送ローラ１１４に挟持されるため、後端部も片持ち状態となり、ガイド板１００から十分に離れた状態で排出されていく。従って、この排出側にも、コロローラ１０２は不要である。
上記を考慮し、本実施の形態では、ガイド板１００の中央部の串ローラ１１１を基準として、コロローラ１０２の配列分布を以下のようにした。
【００６６】
すなわち、串ローラ１１１の上下流側１列目、２列目を密、３列目を１個おきの粗、４列目、５列目を密、６列目、７列目を１個おきの粗の配列分布とした。
【００６７】
このように、コロローラ１０２を必要な箇所のみに配置したため、部品点数を減少させることができる。また、本実施の形態では、不要な矩形孔２８４（図２の鎖線参照）を設け、コロローラ１０２を装着しないという機構を採用しなかったが、予め全ての領域に矩形孔２８４を設けてもよく、コロローラを取り付けない矩形孔２８４をガイド板１００の表側と裏側間の現像液の流路として適用してもよい。
【００６８】
コロローラ１０２の着脱は、軸受部２８６に設けられた爪部２８８を弾性変形させることにより、容易に行うことができ、例えば、装着時は、一対の爪部２８８間に軸１０２Ａを乗せ、コロローラ１０２を円弧面の軸受部２８６に向けて押圧する。これにより、爪部２８８が弾性変形し、軸１０２Ａの軸受部２８６への挿入路が形成されて軸１０２Ａは軸受部２８６と爪部２８８の間に入り込み、コロローラ１０２は確実に軸受部２８６に軸支される。
【００６９】
一方、コロローラ１０２の取り外し時は、コロローラ１０２の本体を手で持って、軸１０２Ａを軸受部２８６から引き抜けばよいが、爪部２８８を何らかの治具で弾性変形させた状態で軸１０２Ａを取り外すことが好ましい。
【００７０】
このように、本実施の形態では、ＰＳ版１２の搬送経路の下側をガイドするガイド板１００に着脱可能な複数のコロローラ１０２を設け、かつ、このコロローラ１０２を現像部２２の挿入側及び排出側の配列分布を粗、中央部を密として、ＰＳ版１２の腰の強さに対応させたため、不要なコロローラ１０２を配設する必要がなく、部品点数を少なくすることができる。
【００７１】
さらに、ガイド板１００は、複数（本実施の形態では６個）のガイド板アッセンブリ２８０を連結して形成しているため、メンテンナンス時の着脱も容易となる。また、異なる機種（例えば、幅寸法が異なる機種）にも、連結数を変更するのみで適用でき、汎用性が高い。
【００７２】
なお、本実施の形態では、表裏両面に感光層を有するＰＳ版１２の処理について述べたが、表面側（上面側）だけに感光層を有するＰＳ版１２を処理するときは、コロローラ１０２を配設しないガイド板１００を現像部２２に本実施の形態と同様に配置してもよい。このとき、ガイド板１００にリブ２８２を設けない構造であってもよい。
【００７３】
【発明の効果】
以上説明した如く本発明に係る感光材料処理装置用案内構造は、部品点数を少なくすることができ、組み付け作業やメンテナンス時の取り外し作業を短時間で行うことができるという優れた効果を有する。
【図面の簡単な説明】
【図１】本実施の形態に係るＰＳ版プロセッサーの概略構成図である。
【図２】ガイド板の平面図である。
【図３】ガイド板に設けられた矩形孔とコロローラとを示す分解斜視図である。
【図４】ガイド板に設けられた矩形孔の平面図である。
【図５】図４のＶ−Ｖ線断面図である。
【符号の説明】
１０    ＰＳ版プロセッサー（感光性平版印刷版処理装置）
１２    ＰＳ版（感光性平版印刷版）
２２    現像部
２４    水洗部
２６    フィニッシャー部
１００    ガイド板
１００Ａ  入側ガイド板
１００Ｂ  出側ガイド板
１０２    コロローラ
２８０    ガイド板アッセンブリ
２８２    リブ
２８４    矩形孔
２８６    軸受部
２８８    爪部
【図１】
0003943255.tif 000002
【図２】
0003943255.tif 000003
【図３】
0003943255.tif 000004
【図４】
0003943255.tif 000005
【図５】
0003943255.tif 000006